(57)【要約】      （修正有）【課題】格納容積を低減し、便利に可搬できるロースト装置を提供する。【解決手段】ロースト装置は直立板ユニット２０、コンロユニット３０、及び支持ユニット４０を有する。直立板ユニットは主板２１、第１の側板２２、第２の側板２３、及びベース板２４を含む。主板は２つの内側エッジを有する。第１の側板は主板の２つの内側エッジのうちの１つに枢動可能に接続される。第２の側板は主板の他方の内側エッジに枢動可能に接続される。ベース板は第１の側板と第２の側板との間に設けられ、第１の側板及び第２の側板に当接する。コンロユニットは直立板ユニット内に配置される。支持ユニットは直立板ユニット内であってコンロユニットの上方に設けられる。【選択図】図２
0003215810.tif 000002
【実用新案登録請求の範囲】
【請求項１】
ロースト装置であって、
直立板ユニットであって、
第１の内側エッジ及び第２の内側エッジを有する主板と、
前記主板の前記第１の内側エッジに枢動可能に接続された第１の側板であって、
第１の内側エッジと、
第２の内側エッジと、
前記第１の側板の前記第２の内側エッジ上に形成されたフィンと、
前記第１の側板の前記第２の内側エッジ上に設けられた少なくとも１つの位置決め部材と、
前記第１の側板の前記第２の内側エッジ上であって前記少なくとも１つの位置決め部材の下方に設けられた境界ブロックと、
を有する第１の側板と、
前記主板の前記第２の内側エッジに枢動可能に接続された第２の側板であって、
第１の内側エッジと、
第２の内側エッジと、
前記第２の側板の前記第２の内側エッジ上に形成されたフィンと、
前記第２の側板の前記第２の内側エッジ上に設けられた少なくとも１つの位置決め部材と、
前記第２の側板の前記第２の内側エッジ上であって前記第２の側板の前記少なくとも１つの位置決め部材の下方に設けられた境界ブロックと、
を有する第２の側板と、
前記第１の側板と前記第２の側板との間に設けられており、前記第１の側板及び前記第２の側板に当接したベース板であって、
２つの側端を有するボディと、
前記ボディの前記２つの側端上にそれぞれ形成された２つのウイング部であって、前記２つのウイング部の一方は前記第１の側板の前記フィンと前記第１の側板の前記少なくとも１つの位置決め部材との間に形成されたスペースに挿入されて保持されており、他方のウイング部は前記第２の側板の前記フィンと前記第２の側板の前記少なくとも１つの位置決め部材との間に形成されたスペースに挿入されて保持されており、前記ベース板の前記２つのウイング部の下端はそれぞれ前記第１の側板の前記境界ブロックの上面、前記第２の側板の前記境界ブロックの上面に当接しており、前記ベース板の下方に連絡穴が形成された、２つのウイング部と、
を備えた直立板ユニットと、
前記直立板ユニット内に設けられたコンロユニットと、
前記直立板ユニット内であって前記コンロユニットの上方に設けられた支持ユニットであって、
前記第１の側板及び前記第２の側板に貫装されており、前記第１の側板と前記第２の側板との間に配置されており、前記コンロユニットの上方にある２つの支持棒を有する支持ユニットと、
を備えるロースト装置。
【請求項２】
請求項１に記載のロースト装置であって、
前記第１の側板は、前記第１の側板の上端に形成された通気孔と前記第１の側板の前記通気孔の下端に形成された位置決め凹部とを有し、前記第２の側板は、前記第２の側板の上端に形成された通気孔と前記第２の側板の前記通気孔の下端に形成された位置決め凹部とを有するロースト装置。
【請求項３】
請求項１に記載のロースト装置であって、
さらに、前記支持ユニットは前記２つの支持棒の上面上に設けられたドリップトレイを有するロースト装置。
【請求項４】
請求項２に記載のロースト装置であって、
さらに、前記ロースト装置は、前記第１の側板の前記位置決め凹部と前記第２の側板の前記位置決め凹部とに前記支持ユニットの上方で設けられた懸吊棒を有するロースト装置。
【請求項５】
請求項１に記載のロースト装置であって、
前記第１の側板は前記第１の側板に貫設された２つの貫通孔を有し、前記第２の側板は前記第２の側板に貫設された２つの貫通孔を有し、各支持棒は、それぞれ前記第１の側板の前記貫通孔の一方、前記第２の側板の前記貫通孔の対応する一方に貫装された２つの端部を有するロースト装置。
【請求項６】
請求項２に記載のロースト装置であって、
さらに、前記ロースト装置は前記直立板ユニットの上面上に設けられたカバーボードを有するロースト装置。
【請求項７】
請求項６に記載のロースト装置であって、
前記カバーボードはＵ形状をなすボードからなり、前記カバーボードは本体及び２つの側部を有し、前記２つの側部はそれぞれ前記本体の２つの側端上に形成されており、前記側部のそれぞれは前記側部の下端に形成された通気洞を有し、２つの前記通気洞の位置は前記第１の側板の前記通気孔の位置と前記第２の側板の前記通気孔の位置とに対応するロースト装置。
【請求項８】
請求項１に記載のロースト装置であって、
さらに、前記ロースト装置は底ボードを有し、前記底ボードは水平に配置された矩形板からなり、前記直立板ユニットは前記底ボードの上面上に設けられており、前記コンロユニットは前記底ボードの上面上に設けられているロースト装置。
【請求項９】
請求項１に記載のロースト装置であって、
前記コンロユニットは２つの直立部材及び保持部材を有し、前記２つの直立部材は間隔を置いて配置されており、前記直立部材のそれぞれはＬ形状をなすシートからなるとともに２つの当接部材を有し、前記保持部材は前記２つの直立部材の前記当接部材に設けられているロースト装置。
【請求項１０】
請求項１に記載のロースト装置であって、
前記第２の側板の幅は前記主板の幅より小さく、前記第１の側板の幅は前記主板の前記幅以上であるロースト装置。
【請求項１１】
請求項２に記載のロースト装置であって、
前記第２の側板の幅は前記主板の幅より小さく、前記第１の側板の幅は前記主板の前記幅以上であるロースト装置。
【請求項１２】
請求項３に記載のロースト装置であって、
前記第２の側板の幅は前記主板の幅より小さく、前記第１の側板の幅は前記主板の前記幅以上であるロースト装置。
【請求項１３】
請求項４に記載のロースト装置であって、
前記第２の側板の幅は前記主板の幅より小さく、前記第１の側板の幅は前記主板の前記幅以上であるロースト装置。
【請求項１４】
請求項５に記載のロースト装置であって、
前記第２の側板の幅は前記主板の幅より小さく、前記第１の側板の幅は前記主板の前記幅以上であるロースト装置。
【請求項１５】
請求項６に記載のロースト装置であって、
前記第２の側板の幅は前記主板の幅より小さく、前記第１の側板の幅は前記主板の前記幅以上であるロースト装置。
【請求項１６】
請求項７に記載のロースト装置であって、
前記第２の側板の幅は前記主板の幅より小さく、前記第１の側板の幅は前記主板の前記幅以上であるロースト装置。
【請求項１７】
請求項８に記載のロースト装置であって、
前記第２の側板の幅は前記主板の幅より小さく、前記第１の側板の幅は前記主板の前記幅以上であるロースト装置。
【請求項１８】
請求項９に記載のロースト装置であって、
前記第２の側板の幅は前記主板の幅より小さく、前記第１の側板の幅は前記主板の前記幅以上であるロースト装置。
【考案の詳細な説明】
【技術分野】
【０００１】
本実用新案はロースト装置に関し、より詳細には、格納に要する容積を低減することができ、また便利に可搬とされ得るロースト装置に関する。
【背景技術】
【０００２】
今日、人々は、レジャー及びレクレーションに大いに関心を払い、近年、キャンピング及びバーベキューなどのアウトドア活動の人気が非常に高まっている。「多機能チキンストーブ」と題する登録済みの台湾実用新案第Ｍ３０７３７６号は、３つの顎フック、ポール、及び回収ボウルを有するストーブを主に開示している。３つの顎フックのそれぞれは係合部を有する。
【先行技術文献】
【特許文献】
【０００３】
【特許文献１】台湾実用新案第Ｍ３０７３７６号明細書
【考案の概要】
【考案が解決しようとする課題】
【０００４】
しかし、上述の特許において、ストーブは円筒形状に設計され、折畳み可能でない。かさ張る大きさである通常のストーブは格納及び輸送に不便である。格納に要するスペースはキャンピングにとって厄介な問題である。市場で入手可能な折畳み可能なバーベキューグリルは格納の問題を解決することができるが、バーベキューフレームを折り畳むことは面倒であり、容易な格納の要求を満たすことができない。
通常のロースト装置の欠点を克服するために、本実用新案は上述の問題を解決するロースト装置を提供する。
【課題を解決するための手段】
【０００５】
本実用新案の主目的は、特に可搬であって格納が容易であるロースト装置を提供することである。
前記ロースト装置は、直立板ユニット、コンロユニット、及び支持ユニットを有する。前記直立板ユニットは主板、第１の側板、第２の側板、及びベース板を含む。前記主板は２つの内側エッジを有する。前記第１の側板は前記主板の前記２つの内側エッジのうちの１つに枢動可能に接続されている。前記第２の側板は前記主板の他方の内側エッジに枢動可能に接続されている。前記ベース板は前記第１の側板と前記第２の側板との間に設けられており、前記第１の側板及び前記第２の側板に当接している。前記コンロユニットは前記直立板ユニット内に配置されている。前記支持ユニットは前記直立板ユニット内であって前記コンロユニットの上方に設けられている。
本実用新案の他の目的、利点、及び新規な特徴は、以下の詳細な説明及びそれぞれの図面においてより明らかになる。
【図面の簡単な説明】
【０００６】
【図１】本実用新案に従うロースト装置の斜視図である。
【図１Ａ】図１のロースト装置の拡大斜視図である。
【図２】図１のロースト装置の分解斜視図である。
【図２Ａ】図２のロースト装置の拡大斜視図である。
【図３】図１のロースト装置の他の分解斜視図である。
【図３Ａ】図３のロースト装置の拡大斜視図である。
【図４】図１のロースト装置の正面図である。
【図５】図１のロースト装置の動作中の正面図である。
【図６】図１のロースト装置の他の動作中の正面図である。
【図７】図１のロースト装置の折畳動作中の上面図を示す。
【考案を実施するための形態】
【０００７】
図１から図４を参照すると、本実用新案に従うロースト装置は、底板１０、直立板ユニット２０、コンロユニット３０、支持ユニット４０、懸吊棒５０、及びカバーボード６０を備える。
【０００８】
底板１０は水平に配置された矩形板からなる。直立板ユニット２０は底板１０の上面上に設けられ、主板２１、第１の側板２２、第２の側板２３、及びベース板２４を含む。主板２１は、鉛直に配置された矩形板からなり、該矩形板における、一側に第１の内側エッジが形成され、他側に第２の内側エッジが形成され、また、４つの取付け筒２１１、２つのエッジ板２１２、及び４つのノッチ２１３を有する。４つの取付け筒２１１のうちの２つは主板２１の第１の内側エッジ上に設けられる。他の２つの取付け筒２１１は主板２１の第２の内側エッジ上に設けられる。同じ内側エッジ上に配置される２つの取付け筒２１１は鉛直に間隔を置いて配置される。各エッジ板２１２は、主板２１の内側エッジの対応する１つの上に設けられる。主板２１の２つのノッチ２１３はそれぞれ、対応するエッジ板２１２の底部を亘って形成されている。主板２１の２つの取付け筒２１１はそれぞれ、対応する内側エッジ２１２の上部を亘って形成されている。
【０００９】
第１の側板２２は、主板２１の２つの内側エッジのうちの１つに枢動可能に接続される。第１の側板２２は上端、第１の内側エッジ、第２の内側エッジ、２つの枢動筒２２１、枢動棒２２２、３つの位置決め部材２２３、境界ブロック２２４、２つの貫通孔２２５、通気孔２２６、及び位置決め凹部２２７を有する。第１の側板２２の第１の内側エッジは主板２１に隣接し、第１の側板２２の第２の内側エッジは主板２１から遠位にある。２つの枢動筒２２１は第１の側板２２の第１の内側エッジ上に設けられており、鉛直に間隔を置いて配置されている。枢動棒２２２は主板２１の２つの取付け筒２１１と第１の側板２２の２つの枢動筒２２１とに貫装される。第１の側板２２の第２の内側エッジ上にフィン２２０が形成されている。３つの位置決め部材２２３は第１の側板２２の第２のエッジ上に設けられており、３つの位置決め部材２２３は鉛直に間隔を置いて配置されている。３つの位置決め部材２２３のそれぞれはＬ形状をなすシートからなる。境界ブロック２２４は第１の側板２２の第２の内側エッジ上に設けられ、３つの位置決め部材２２３の下方に配置されており、三角形の断面を有する。２つの貫通孔２２５は第１の側板２２に貫設され、第１の側板の第１の内側エッジと第２の内側エッジとの間に配置されており、水平に間隔を置いて配置されている。通気孔２２６は第１の側板２２の上端に形成されている。位置決め凹部２２７は第１の側板２２の通気孔２２６の底縁に形成されている。
【００１０】
第２の側板２３は、主板２１の他方の内側エッジに枢動可能に接続される。第２の側板２３は上端、第１の内側エッジ、第２の内側エッジ、２つの枢動筒２３１、枢動棒２３２、３つの位置決め部材２３３、境界ブロック２３４、２つの貫通孔２３５、通気孔２３６、及び位置決め凹部２３７を有する。第２の側板２３の第１の内側エッジは主板２１に隣接し、第２の側板２３の第２の内側エッジは主板２１から遠位にある。２つの枢動筒２３１は第２の側板２３の第１の内側エッジ上に設けられており、鉛直に間隔が空けられている。枢動棒２３２は主板２１の２つの取付け筒２１１と第２の側板２３の２つの枢動筒２３１とに貫装される。第２の側板２３の第２の内側エッジ上にフィン２３０が形成されている。３つの位置決め部材２３３は第２の側板２３の第２の内側エッジ上に設けられており、３つの位置決め部材２３３は鉛直に間隔が空けられている。３つの位置決め部材２３３のそれぞれはＬ形状をなすシートからなる。境界ブロック２３４は第２の側板２３の第２の内側エッジ上に設けられており、３つの位置決め部材２３３の下に配置されている。境界ブロック２３４は断面が三角形である。２つの貫通孔２３５は第２の側板２３に、第２の側板２３の第１の内側エッジと第２の内側エッジとの間において貫設されている。２つの貫通孔２３５は、間隔を置いて配置されている。通気孔２３６は第２の側板２３の上端に形成されている。位置決め凹部２３７は第２の側板２３の通気孔２３６の底縁に形成されている。主板２１に対して図７に示す形態で第１の側板２２及び第２の側板２３を折り畳むことができるように、第２の側板２３の幅は主板２１の幅より小さく、第１の側板２２の幅は主板２１の幅以上である。
【００１１】
ベース板２４は第１の側板２２と第２の側板２３との間に設けられ、第１の側板２２及び第２の側板２３に当接する。ベース板２４はＵ形状をなす板からなり、ボディ２４１及び２つのウイング部２４２を有する。ボディ２４１は２つの側端を有する。２つのウイング部２４２はそれぞれボディ２４１の２つの側端上に形成されている。２つのウイング部２４２の一方は、第１の側板２２のフィン２２０と第１の側板２２の３つのＬ形状をなす位置決め部材２２３との間に形成されたスペースに挿入されて保持される。他方のウイング部２４２は、第２の側板２３のフィン２３０と第２の側板２３の３つの位置決め部材２３３との間に形成されたスペースに挿入されて保持される。ベース板２４の２つのウイング部２４２の下端は、第１の側板２２の境界ブロック２２４の上面と第２の側板２３の境界ブロック２３４の上面とに当接し、ベース板２４の下方に連絡穴２５を形成する。
【００１２】
コンロユニット３０は底板１０の上面上に設けられ、直立板ユニット２０内に配置される。コンロユニット３０は２つの直立部材３１及び保持部材３２を有する。２つの直立部材３１は間隔を置いて配置される。直立部材３１のそれぞれはＬ形状をなすシートからなり、２つの当接部材３１１を有する。当接部材３１１のそれぞれはＬ形状をなすシートからなる。保持部材３２は２つの直立部材３１の当接部材３１１に取り付けられる。保持部材３２はＵ形状をなす網状板からなる。
【００１３】
支持ユニット４０は、コンロユニット３０の上方に位置するように直立板ユニット２０の内部に設置される。支持ユニット４０は２つの支持棒４１及びドリップトレイ４２を有する。各支持棒４１は、それぞれ第１の側板２２の貫通孔２２５と第２の側板２３の貫通孔２３５とに貫装される２つ端部を有し、これによって２つの支持棒４１は第１の側板２２と第２の側板２３との間に配置される。２つの支持棒４１はコンロユニット３０の上方にある。ドリップトレイ４２は２つの支持棒４１の上面上に載架される。
【００１４】
懸吊棒５０は第１の側板２２の位置決め凹部２２７と第２の側板２３の位置決め凹部２３７とに設けられる。懸吊棒５０は支持ユニット４０の上方にある。
カバーボード６０は直立板ユニット２０の上面上に設けられ、Ｕ形状をなすボードからなる。カバーボード６０は本体６１及び２つの側部６２を有する。２つの側部６２はそれぞれ本体６１の２つの側端上に形成されている。側部６２のそれぞれは通気洞６２１を有する。通気洞６２１は側部６２の下端において形成されている。２つの通気洞６２１の位置は、それぞれ第１の側板２２の通気孔２２６の位置、第２の側板２３の通気孔２３６の位置に相当する。
【００１５】
図２、図３、及び図５を参照すると、本実用新案に従うロースト装置が使用されるときに、コンロユニット３０の保持部材３２の上面に炭が載置される。ベース板２４は直立板ユニット２０から取り外され、次いで支持ユニット４０の２つの支持棒４１の上面にポット７０が載置される。ポット７０を加熱して食品を調理するのに本実用新案を用いることができる。さらに図２、図３、及び図６に示すように、食材８０（例えば、鶏肉、鴨肉、または魚）を懸吊棒５０に載置し得るとともに、ドリップトレイ４２を２つの支持棒４１の上面に載置し得る。さらに、２つの通気洞６２１が定位置において第１の側板２２の通気孔２２６と第２の側板２３の通気孔２３６とに相当することから、第１の側板２２の通気孔２２６と第２の側板２３の通気孔２３６を介して煙を排出することができる。
【００１６】
また、第１の側板２２及び第２の側板２３がそれぞれ主板２１に枢動可能に接続されることから、本実用新案に従うロースト装置が使用されないときは、第１の側板２２及び第２の側板２３からベース板２４を取り外すことができ、第１の側板２２及び第２の側板２３はそれぞれ主板２１に対して枢動される。このように、本実用新案に従う装置の格納容積は最小化され、本実用新案に従う装置は持ち運ぶのが容易である。ロースト装置は点下プラグを用いず、可搬である。
【００１７】
上述の説明において本実用新案の多くの特性及び利点について、当該実用新案の構造及び機能の詳細とともに言及したが、本開示は例示にすぎず、特に、添付の請求項を表現する文言の広い包括的な意味により示される限りの当該実用新案の原理の範囲内において、各部の形状、大きさ、及び配置に関して詳細に変更をなし得る。
【図１】
0003215810.tif 000003
【図１Ａ】
0003215810.tif 000004
【図２】
0003215810.tif 000005
【図２Ａ】
0003215810.tif 000006
【図３】
0003215810.tif 000007
【図３Ａ】
0003215810.tif 000008
【図４】
0003215810.tif 000009
【図５】
0003215810.tif 000010
【図６】
0003215810.tif 000011
【図７】
0003215810.tif 000012